(57)【要約】【課題】情報記録装置の容量不足によって新たなコンテンツデータの記録が不可能となる事態を防止すること。【解決手段】コンテンツデータの記録又は再生をするため所定容量を有した情報記録装置を少なくとも２つ備えるコンテンツ記録再生装置であって、一の情報記録装置の空き容量を検出して一の情報記録装置に記録可能な空き容量が予め設定された閾値以下になると、一の情報記録装置に格納されているコンテンツデータを他の情報記録装置へ転送するために、転送するコンテンツデータを選択する操作画面を表示するコンテンツ転送表示手段を備え、コンテンツ転送表示手段における操作画面で選択されたコンテンツデータを他の情報記録装置へ転送する構成とする。また、コンテンツデータの転送先の情報記録装置を選択する操作画面を表示するコンテンツ転送先情報記録装置選択手段を設ける構成とする。【選択図】        図６
2004326892.tif 000002
【特許請求の範囲】
【請求項１】
コンテンツデータの記録又は再生をするために所定の記録容量を有した情報記録装置を少なくとも２つ備えるコンテンツ記録再生装置であって、
一の情報記録装置の空き容量を検出して前記一の情報記録装置に記録可能な空き容量が予め設定された閾値以下になると、前記一の情報記録装置に格納されているコンテンツデータを他の情報記録装置へ転送するために、転送するコンテンツデータを選択する操作画面を表示するコンテンツ転送表示手段を備え、
前記コンテンツ転送表示手段における前記操作画面で選択されたコンテンツデータを前記他の情報記録装置へ転送する
ことを特徴とするコンテンツ記録再生装置。
【請求項２】
請求項１において、
前記コンテンツ転送表示手段には、コンテンツデータの転送先の情報記録装置を選択する操作画面を表示するコンテンツ転送先情報記録装置選択手段を設け、前記コンテンツ転送先情報記録選択手段によって選択された情報記録装置に前記選択されたコンテンツデータを転送することを特徴とするコンテンツ記録再生装置。
【請求項３】
請求項１又は２において、
前記他の情報記録装置は、ネットワークを介して前記一の情報記録装置と接続されることを特徴とするコンテンツ記録再生装置。
【請求項４】
請求項２又は３において、
前記他の情報記録装置を少なくとも２つ設け、
前記コンテンツ転送先情報記録装置選択手段によって、転送するコンテンツデータのデータ形式に適合する情報記録装置を転送先として選択する
ことを特徴とするコンテンツ記録再生装置。
【請求項５】
請求項２又は３において、
前記他の情報記録装置を少なくとも２つ設け、
前記コンテンツ転送先情報記録装置選択手段によって、転送するコンテンツデータの内容の特徴に対応する情報記録装置を転送先として選択する
ことを特徴とするコンテンツ記録再生装置。
【請求項６】
請求項２又は３において、
前記他の情報記録装置が記録形式の異なる複数の記録媒体に対応していて且つ着脱自在である場合、転送するコンテンツデータの内容に適合した記録媒体を装着指示する操作画面を表示することを特徴とするコンテンツ記録再生装置。
【請求項７】
請求項４又は５において、
前記コンテンツ転送表示手段に、転送するコンテンツデータの内容を示す文字列、静止画像又は動画像の種別を一覧表示することを特徴とするコンテンツ記憶再生装置。
【請求項８】
請求項１、２又は３において、
前記コンテンツ転送表示手段に、コンテンツデータの重要度の高いものを優先的に表示することを特徴とするコンテンツ記録再生装置。
【発明の詳細な説明】
【０００１】
【発明の属する技術分野】
本発明は、ハードディスク装置などの固定式の大容量記録装置と、ＤＶＤ−ＲＷなどの記録媒体の着脱可能な記録装置とを備え、テレビジョン番組などのコンテンツデータを記録および再生するコンテンツ記録再生装置に関する。
【０００２】
【従来の技術】
近年、ハードディスク装置や、ＤＶＤ−ＲＷなどの着脱が可能な記録媒体を用いた記録装置（以下、リムーバブル記録装置と称する）などの情報記録装置に対して、テレビジョン番組などのコンテンツデータを記録し、記録したコンテンツデータを再生するコンテンツ記録再生装置が開発され、商品化されている。
【０００３】
ところで、前記コンテンツ記録再生装置に備えられた情報記録装置の記録容量には限りがあるため、複数のテレビジョン番組を記録し続けることによって、記録容量が不足し、新たな記録が不可能になってしまう。前記記録装置の記録容量が不足している状態をユーザが把握していない場合、コンテンツデータを記録しようとしても記録できない課題や、以前に記録しておいたコンテンツデータが上書きされるなどの課題が生じる。
【０００４】
このような課題を解決するために、情報記録装置の空き容量がある閾値を下回った際に、情報記録装置の記録可能な残量を表示することにより、ユーザに情報記録装置の記録容量不足を通知すると云うことが提案されている（例えば、特許文献１を参照）。
【０００５】
【特許文献１】
特開２００１−３０７４６５号公報
【０００６】
【発明が解決しようとする課題】
しかしながら、ユーザは前記情報記録装置の記録容量不足を把握した後、新たなコンテンツを記録するために、過去に記録したコンテンツデータを他の情報記録装置へ移動し、前記情報記録装置の記録容量不足を解消する必要があるが、前記情報記録装置の特徴を熟知したユーザでなければ、前記記録容量不足の通知だけでコンテンツデータの移動が必要であることを想起することは難しい。
【０００７】
また近頃、１台のコンテンツ記録再生装置内に、仕様の異なる複数の情報記録装置が備わったモデルや、１台のリムーバブル記録装置で仕様の異なる複数の記録媒体の記録・再生が可能なモデルが発売されているため、情報記録装置間でのコンテンツデータの移動は、情報記録装置および記録媒体について十分な知識がなければ、困難な操作となる。
【０００８】
このように、記録容量の不足を通知されるだけでは不十分であって、コンテンツデータの移動処理が実行されないと、情報記録装置の容量不足が発生し、新たな記録が不可能になってしまう。
【０００９】
本発明の目的は、コンテンツデータの記録と再生を行う複数の情報記録装置において、記録空き容量が不足した場合における情報記録装置間のコンテンツデータの移動を容易に実行できるコンテンツ記録再生装置を提供することにある。
【００１０】
【課題を解決するための手段】
前記課題を解決するために、本発明は主として次のような構成を採用する。  コンテンツデータの記録又は再生をするために所定の記録容量を有した情報記録装置を少なくとも２つ備えるコンテンツ記録再生装置であって、
一の情報記録装置の空き容量を検出して前記一の情報記録装置に記録可能な空き容量が予め設定された閾値以下になると、前記一の情報記録装置に格納されているコンテンツデータを他の情報記録装置へ転送するために、転送するコンテンツデータを選択する操作画面を表示するコンテンツ転送表示手段を備え、
前記コンテンツ転送表示手段における前記操作画面で選択されたコンテンツデータを前記他の情報記録装置へ転送する構成とする。
【００１１】
また、前記コンテンツ記録再生装置において、前記コンテンツ転送表示手段には、コンテンツデータの転送先の情報記録装置を選択する操作画面を表示するコンテンツ転送先情報記録装置選択手段を設け、
前記コンテンツ転送先情報記録選択手段によって選択された情報記録装置に前記選択されたコンテンツデータを転送する構成とする。
【００１２】
また、前記コンテンツ記録再生装置において、前記他の情報記録装置は、ネットワークを介して前記一の情報記録装置と接続される構成とする。
【００１３】
また、前記コンテンツ記録再生装置において、前記他の情報記録装置を少なくとも２つ設け、前記コンテンツ転送先情報記録装置選択手段によって、転送するコンテンツデータのデータ形式に適合する情報記録装置を転送先として選択する構成とする。
【００１４】
また、前記コンテンツ記録再生装置において、前記他の情報記録装置を少なくとも２つ設け、前記コンテンツ転送先情報記録装置選択手段によって、転送するコンテンツデータの内容の特徴に対応する情報記録装置を転送先として選択する構成とする。
【００１５】
また、前記コンテンツ記録再生装置において、前記他の情報記録装置が記録形式の異なる複数の記録媒体に対応していて且つ着脱自在である場合、転送するコンテンツデータの内容に適合した記録媒体を装着指示する操作画面を表示する構成とする。
【００１６】
また、前記コンテンツ記録再生装置において、前記コンテンツ転送表示手段に、転送するコンテンツデータの内容を示す文字列、静止画像又は動画像の種別を一覧表示する構成とする。また、前記コンテンツ記憶再生装置において、前記コンテンツ転送表示手段に、コンテンツデータの重要度の高いものを優先的に表示する構成とする。
【００１７】
このような構成を採用することにより、一の情報記録装置に記録空き容量が不足した場合において、適宜のコンテンツデータを選択して他の情報記録装置へ容易に移動させることができる。
【００１８】
【発明の実施の形態】
本発明の実施形態に係るコンテンツ記録再生装置について、図１〜図７を参照しながら以下説明する。図１は本発明の実施形態に係るコンテンツ記録再生装置の構成を示すブロック図であり、図２は本実施形態に関する記録容量管理テーブルの構成を示す図であり、図３は本実施形態に関するコンテンツ管理テーブルの構成を示す図であり、図４は本実施形態に関するコンテンツ転送メニューを示す図であり、図５は本実施形態において、転送するコンテンツデータを選択した場合のコンテンツ転送メニューを示す図である。また、図６は本実施形態において、コンテンツデータを情報記録装置に記録する場合のフローチャートを示す図であり、図７は本実施形態において、複数の情報記録装置へコンテンツデータを転送する場合のコンテンツ転送メニューを示す図である。
【００１９】
図１において、情報入力部１２は、テレビジョン放送などからコンテンツデータを受信し、受信したコンテンツデータをシステム制御部１１へ供給する。情報出力部１３は、システム制御部１１から入力されたコンテンツデータおよび後述のコンテンツ転送メニューを再生することが可能であり、コンテンツデータの映像情報をＣＲＴなどの映像表示装置で表示し、コンテンツデータの音声情報をスピーカなどの音声出力装置で再生する。
【００２０】
ここで、コンテンツ転送メニューとは、コンテンツのタイトルをリスト表示したものや、コンテンツの内容を示すサムネイル画像を一覧表示したものであり、ユーザはコンテンツ転送メニューから、ユーザ操作部１４を用いて転送するコンテンツデータを選択することができる。選択されたコンテンツデータの識別番号は、システム制御部１１へ通知されるようになっている。
【００２１】
また、ハードディスク装置１６は、コンテンツデータの記録と再生が可能であり、システム制御部１１の指示に従って、システム制御部１１に対してコンテンツデータの入出力を行うことができる。
【００２２】
リムーバブル記録装置１５は、ＤＶＤなどの書換え可能な光ディスクや、光磁気ディスク、磁気ディスクなどの着脱可能な記録媒体を備える記録再生装置であって、コンテンツデータの記録及び再生が可能であり、システム制御部１１の指示に従って、システム制御部１１に対してコンテンツデータの入出力を行うことができる。
【００２３】
コンテンツ管理テーブル１７は、前記ハードディスク装置１６およびリムーバブル装置１５など、本発明の実施形態に係るコンテンツ記録再生装置が備える情報記録装置に記録されているコンテンツデータを管理するものである。また、記録容量管理テーブル１８は、前記ハードディスク装置１６及びリムーバブル記録装置１５の記録装置の空き容量およびコンテンツの転送を開始する閾値（転送開始の容量閾値）などを格納しており、前記ハードディスク装置１６およびリムーバブル記録装置１５の空き容量が、前記転送開始閾値以下になった場合、その状態をシステム制御部１１へ通知する。
【００２４】
ここで、前記コンテンツ管理テーブル１７および記録容量管理テーブル１８は、システム制御部１１上に接続されたＲＡＭ等のメモリ、又は情報記録装置の記録媒体上で構成されるものである。
【００２５】
システム制御部１１は、ユーザがユーザ操作部１４から入力した操作に基づいて、前述した各ブロックの動作及び、各ブロック間のデータの入出力を制御する。なお、前記ハードディスク装置１６およびリムーバブル記録装置１５にて記憶されるデータの種別として、上記に示したコンテンツデータは例示であり、これに限定されるものではない。例えば、コンテンツデータとして、音楽データや文字データを用いてもよい。
【００２６】
次に、図２において、記録容量管理テーブル１８は、記録装置ＩＤ格納欄、空き容量格納欄、転送開始閾値欄によって構成される。ここで、記録装置ＩＤ欄には、本実施形態のコンテンツ記録再生装置に接続されているハードディスク装置１６およびリムーバブル記録装置１５などの各情報記録装置を一意に識別するための識別情報が格納される。記録装置ＩＤを指定することで、そのＩＤに対応する記憶装置の空き容量および転送開始閾値を取得できる。
【００２７】
記録容量管理テーブル１８において、空き容量格納欄の内容は、情報記録装置へコンテンツデータが記録されるなどによって記録可能な空き容量が変更する毎に更新され、ある情報記録装置において、記録可能な空き容量が転送開始閾値以下になった場合、その状態となった情報記録装置の記録装置ＩＤがシステム制御部１１へ通知されるようになっている。
【００２８】
なお、本実施形態の記録容量管理テーブル１８は、図２の内容に限定されるものではなく、情報記録装置の種別（記録媒体が固定式か着脱可能であるか）や、情報記録装置内の記録媒体の全容量など情報記録装置に関連した情報を追加してもよい。
【００２９】
続いて、図３において、コンテンツ管理テーブルは、コンテンツに関する一連の情報格納欄より構成され、具体的には、コンテンツＩＤ格納欄、コンテンツサイズ格納欄、コンテンツタイトル格納欄、記録日時格納欄、格納先記録装置ＩＤ格納欄、格納先アドレス格納欄によって構成される。コンテンツＩＤ情報は、ハードディスク装置１６およびリムーバブル記録装置１５に記録されている各コンテンツデータを一意に判別可能な識別コードを含んでおり、コンテンツＩＤを指定することで、そのＩＤに対応する前記一連の情報格納欄内の情報を取得することができる。
【００３０】
また、コンテンツサイズ格納欄には、コンテンツデータのデータサイズがバイト単位で格納されており、同様に、コンテンツタイトル格納欄にはコンテンツのタイトル、記録日時格納欄にはコンテンツが記録された日時、格納先記録装置ＩＤ格納欄にはコンテンツを記録している情報記録装置の記録装置ＩＤ、がそれぞれ格納され、更に、格納先アドレス格納欄には、前記格納先記録装置ＩＤ欄の記録装置ＩＤが示す情報記録装置内の記録媒体においてコンテンツデータの記録位置が格納されている。
【００３１】
なお、コンテンツ管理テーブル１７の内容は、コンテンツデータが新たに記録されたり、情報記録装置間でコンテンツデータが移動されるなど、コンテンツデータに関する情報が追加または変更される毎に更新される。
【００３２】
また、コンテンツ管理テーブル１７によって、システム制御部１１からコンテンツＩＤを入力することで、システム制御部１１にてコンテンツＩＤに対応するコンテンツデータに関する情報を取得することが可能であり、特に、コンテンツデータの格納先を示す格納先記録装置ＩＤと格納先アドレス、コンテンツサイズを用いて、コンテンツデータを情報記録装置から読み出し、他の情報記録装置へ移動することができる。ここで、コンテンツ管理テーブル１７において、移動されたコンテンツデータの格納先を示す情報は、転送したコンテンツデータを格納している情報記録装置の格納先記録装置ＩＤおよび格納先アドレスとなる。
【００３３】
ここで、図３の図示例および前記のコンテンツ管理テーブル１７の内容は１つの構成例であり、これに限定されるものではない。例えば、コンテンツデータの視聴状況（視聴済みか視聴していないか）、コンテンツデータのジャンルなどのコンテンツに関連した情報を追加することができる。
【００３４】
次に、本実施形態で使用するコンテンツ転送メニューについて、図４及び図５を用いて説明する。図４において、コンテンツ転送メニューは、コンテンツ管理テーブル１７の内容に応じて、情報出力部１３に表示されるものであり、転送元リスト及び転送先リスト、ユーザが転送するコンテンツデータを選択するための指示ポインタ２０、転送開始ボタン２１から構成される。ここで、転送元リストには、記録可能な空き容量が転送開始閾値以下となった情報記録装置内に記録されているコンテンツデータのタイトルと記録日時が一覧表示され、転送先リストには、転送対象として選択されたコンテンツデータのタイトルと記録日時が一覧表示されるようになっている。
【００３５】
前記コンテンツ転送メニューにおいて、ユーザがユーザ操作部１４より、指示ポインタ２０を用いて、転送したいコンテンツデータのリストを選択することによって、転送するコンテンツを決定することができる。決定されたコンテンツは、そのコンテンツに関連する一連の情報が転送元リスト側にてグレー表示され、転送先リストには、転送されるコンテンツデータの情報が追加表示される。図５は、図４において、コンテンツタイトルＣＴ１を選択した後のコンテンツ転送メニューを示しており、選択されたコンテンツデータに関連する一連の情報が転送元リストにてグレー表示され、転送先のリストにタイトルとしてＣＴ１を持つコンテンツデータの情報が追加表示されている。
【００３６】
転送したいコンテンツを全て選択した後、コンテンツ転送メニュー中央の「転送開始」ボタンを指示ポインタにて選択すると、転送元リストにおいて、グレー表示されていたコンテンツデータのコンテンツＩＤがシステム制御部１１に送信される。次に、システム制御部１１では、送信されたコンテンツＩＤを用いて、コンテンツ管理テーブル１７から転送するコンテンツデータの格納先情報記録装置と格納先アドレス、コンテンツサイズを取得できるため、選択されたコンテンツデータを転送元の情報記録装置から読み出して、転送先の情報記録装置へ移動することができる。
【００３７】
なお、図４および図５におけるコンテンツ転送メニューの画面のデザインおよびユーザインターフェースは、同様の機能を実現できるものであれば、任意の形態を用いることができる。例えば、コンテンツの内容を示す静止画像や動画像を一覧表示しても良いし、指示ポインタの代わりに、一覧表示されているコンテンツ情報に一連の番号を付加し、各コンテンツを示す番号を入力するようにしてもよい。
【００３８】
また、前記転送元リストおよび転送先リスト内に表示されるコンテンツ情報は、本実施形態の表示内容に限定されるものではない。例えば、コンテンツデータの再生時間や、ジャンルなど、コンテンツに関連する情報を追加してもよい。さらに、前記コンテンツ転送メニューの転送元リストにおけるコンテンツデータの一覧表示において、番組内容や視聴の有無などコンテンツデータの内容の重要度に考慮し、重要度の高いコンテンツデータを優先的に提示してもよい。それにより、ユーザにとって重要度の高いコンテンツデータを信頼性の高い情報記録装置へ転送することができる。
【００３９】
以上のように構成された本発明の実施形態に係るコンテンツ記録再生装置を用いて、ハードディスク装置１６にコンテンツデータを新たに記録する場合の動作について、図６のフローチャートを参照しながら説明する。
【００４０】
まず、ステップＳ６０１で予めコンテンツ移動条件を設定する。ここで、ユーザは操作部１４を操作して、記録容量管理テーブル１８におけるハードディスク装置１６の転送開始閾値を設定する。次に、ステップＳ６０２にて、ユーザから記録開始指示があるまで待機する。操作部１４を介してユーザから記録開始指示があった場合、次のステップＳ６０３へ移行する。
【００４１】
ステップＳ６０３では、記録容量管理テーブル１８よりハードディスク装置１６の記録可能な空き容量と転送開始閾値が取得され、空き容量が転送開始閾値以下であるかが判定され、閾値以下になっていない場合、コンテンツデータの記録がハードディスク装置１６にて行われる（ステップＳ６０７）。
【００４２】
ステップＳ６０３にてハードディスク装置１６の空き容量が転送開始閾値以下の場合、ハードディスク装置１６に記録されているコンテンツデータをリムーバブル記録装置１５へ転送するためのコンテンツ転送メニューを表示する（ステップＳ６０４）。
【００４３】
ステップＳ６０４で表示されたコンテンツ転送メニューから、操作部１４を介してユーザによって、転送するコンテンツデータが選択され、対応するコンテンツＩＤがシステム制御部１１へ送信される（ステップＳ６０５）。
【００４４】
次に、システム制御部１１において、ステップＳ６０５によって送信されたコンテンツＩＤを使って、コンテンツ管理テーブル１７から選択されたコンテンツデータの格納先アドレスが取得され、ハードディスク装置１６から移動対象のコンテンツデータが読み出され、システム制御部１１を介して、リムーバブル記録装置１５へ記録される。次に、移動が完了したコンテンツデータはハードディスク装置１６内から削除され、記録容量管理テーブル１８におけるハードディスク装置１６の空き容量が、移動したコンテンツデータのサイズ分だけ増加する（ステップＳ６０６）。
【００４５】
以降、ハードディスク装置１６における記録可能な空き容量が、容量管理テーブルの転送開始閾値以上となるまで、上記ステップＳ６０３からＳ６０６が繰り返される。
【００４６】
以上の操作によって、ハードディスク装置１６内の記録可能な空き容量が不足した場合に（記録開始を指示されたコンテンツが必要とする記録容量を加味して）、ハードディスク装置１６内のコンテンツデータを他の情報記録装置へ転送するためのメニューを表示することで、ユーザがコンテンツデータの移動が必要であることを認識することが容易になるとともに、コンテンツデータの移動が確実に行われる。それにより、ハードディスク装置１６内の記録可能な空き容量を所定の値に確保することが可能となり、ハードディスク装置１６の容量不足によって、新たなコンテンツデータの記録が不可能となる事態を防止することができる。
【００４７】
ここで、本実施形態のステップＳ６０２において、ユーザからの記録開始指示は、留守番録画などの録画の予約を行う操作でもよい。録画予約時に本実施形態のコンテンツ記録再生装置を用いることによって、ユーザ不在時の録画中に容量不足となる課題を防止することができ、ユーザが所望するコンテンツデータを確実に記録することができる。
【００４８】
また、本実施形態では、リムーバブル記録装置１５をシステム制御部１１と直接接続する形態を用いたが、ＬＡＮ（Ｌｏｃａｌ  Ａｒｅａ  Ｎｅｔｗｏｒｋ）や電話回線などのネットワークを介して接続されている形態を用いてもよい。これによって、遠方の情報記録装置に対してもコンテンツデータを移動することができる。
【００４９】
ところで、本実施形態のリムーバブル記録装置１５として、ＣＤ−ＲＷやＤＶＤ−ＲＷなどの記録フォーマットの異なる複数の記録媒体に対応している情報記録装置を用いてもよい。この場合、記録容量管理テーブル１８に情報記録装置が対応している記録媒体の情報を追加し、コンテンツデータを転送する際に、転送するコンテンツデータの内容に適した記録媒体を挿入する指示をコンテンツ転送メニュー表示時に提示することで、コンテンツデータの内容に適した記録媒体へ、コンテンツデータを記録することができる。
【００５０】
また、コンテンツ記録再生装置の情報記録装置として、本実施形態では、ハードディスク装置１６とリムーバブル記録装置１５の２台のみを用いたが、３台以上の情報記録装置を用いてもよい。その際、図７に示すコンテンツ転送メニューのように、転送先リストに「情報記録装置の変更」ボタン２２を追加することで、転送先の情報記録装置を切り替えることで、複数の情報記録装置へコンテンツデータを転送することができる。
【００５１】
さらに、記録及び再生可能なデータ形式が異なる情報記録装置が複数接続されている場合、記録容量管理テーブル１８に各々の情報記録装置が対応しているデータ形式を格納できるようにし、コンテンツデータを転送する際にそのデータ形式に従って転送先の情報記録装置を決定することで、転送するコンテンツデータの記録再生が可能な情報記録装置へ転送することができる。例えば、コンテンツデータの動画像の圧縮方式としてＭＰＥＧ２が採用されている場合、転送先として、ＭＰＥＧ２の記録再生が可能な情報記録装置を選択可能となる。
【００５２】
また、記録容量管理テーブル１８に対して、情報記録装置が格納するコンテンツデータの内容の特徴（テレビジョン番組のジャンルなど）を格納する欄を追加し、その特徴に応じて転送先の情報記憶装置を選択してもよい。これによって、コンテンツデータの特徴別に、転送先の情報記録装置を使い分けることができ、ユーザがコンテンツデータを検索する場合、コンテンツデータの特徴から格納されている情報記録装置を容易に特定することができる。
【００５３】
上述したデータ形式又はデータ内容特徴に適合した転送先情報記録装置を選択するに際しては、記録容量管理テーブル１８へそれぞれのデータ形式や内容特徴を格納しコンテンツ転送メニューに含ませるとともに、コンテンツ転送メニューに、例えば、転送するコンテンツデータを示す文字列、静止画像又は動画像の種別を一覧表示して、転送先と転送元の情報を対応付けしても良い。さらに、コンテンツ転送表示手段に、ユーザにとってコンテンツデータの重要度の高いものを優先的に表示するようにして、優先順位にしたがって順に転送することもできる。
【００５４】
【発明の効果】
以上説明したように、本発明のコンテンツ記録再生装置によれば、コンテンツデータの記録及び再生を行う情報記録装置内の記録可能な空き容量を所定の値に保つことが可能となり、情報記録装置の容量不足によって、新たなコンテンツデータの記録が不可能となる事態を防止することができる。
【図面の簡単な説明】
【図１】本発明の実施形態に係るコンテンツ記録再生装置の構成を示すブロック図である。
【図２】本実施形態に関する記録容量管理テーブルの構成を示す図である。
【図３】本実施形態に関するコンテンツ管理テーブルの構成を示す図である。
【図４】本実施形態に関するコンテンツ転送メニューを示す図である。
【図５】本実施形態において、転送するコンテンツデータを選択した場合のコンテンツ転送メニューを示す図である。
【図６】本実施形態において、コンテンツデータを情報記録装置に記録する場合のフローチャートを示す図である。
【図７】本実施形態において、複数の情報記録装置へコンテンツデータを転送する場合のコンテンツ転送メニューを示す図である。
【符号の説明】
１１  システム制御部
１２  情報入力部
１３  情報出力部
１４  ユーザ操作部
１５  リムーバブル記録装置
１６  ハードディスク装置
１７  コンテンツ管理テーブル
１８  記録容量管理テーブル
２０  指示ポインタ
２１  転送開始ボタン
【図１】
2004326892.tif 000003
【図２】
2004326892.tif 000004
【図３】
2004326892.tif 000005
【図４】
2004326892.tif 000006
【図５】
2004326892.tif 000007
【図６】
2004326892.tif 000008
【図７】
2004326892.tif 000009